(57)【要約】【課題】バッテリープリンタの印刷物放置によるセキュリティ事故を防止する際のわずらわしさを低減する。【解決手段】電源がACもしくはバッテリーで駆動可能なプリンタにおいて、電源がACもしくはバッテリーのいずれであるかを検知する検知回路と、電源がバッテリーであることを検知したときのみ排紙トレイを覆うカバーをロックするロック機構と、を備えたことを特徴とする。【選択図】図２
2014201002.tif 000002
【特許請求の範囲】
【請求項１】
電源がACもしくはバッテリーで駆動可能なプリンタにおいて、
前記電源がACもしくはバッテリーのいずれであるかを検知する検知回路と、
前記電源が前記バッテリーであることを検知したときのみ排紙トレイを覆うカバーをロックするロック機構と、
を備えたことを特徴とするバッテリー駆動プリンタ。
【請求項２】
前記ロック機構は、物理鍵で解除可能であることを特徴とする請求項１記載のバッテリー駆動プリンタ。
【請求項３】
印刷済みの用紙を反転する反転機構と、
前記電源が前記バッテリーの場合に片面印刷を行うと、前記反転機構を作動させる制御手段と、を備えたことを特徴とする請求項１記載のバッテリー駆動プリンタ。
【請求項４】
前記ロック機構は、物理鍵で解除可能であり、
印刷済みの用紙を反転する反転機構と、
前記電源が前記バッテリーの場合に片面印刷を行うと、前記反転機構を作動させる制御手段と、を備え、
前記ロック機構と前記反転機構とを選択する選択手段をさらに備えたことを特徴とする請求項１記載のバッテリー駆動プリンタ。
【発明の詳細な説明】
【技術分野】
【０００１】
本発明は、バッテリー駆動プリンタに関する。
【背景技術】
【０００２】
インクジェットプリンタにバッテリーを内蔵させることで、電源プラグをコンセントに差し込まなくとも印刷を行えるバッテリー駆動プリンタがある。このバッテリー駆動プリンタは、ACアダプタで駆動できるだけでなく、バッテリーさえ所持すれば外出先でもバッテリーで駆動可能な便利さがある。
ここで、バッテリー駆動プリンタは、外出先で使用できる便利さがある反面、印刷物放置を生じるおそれがある。
この種の印刷物放置によるセキュリティ問題に対応するため、印刷物をストックする排紙トレイをカバーで覆った後ロックし、カバーを開ける際にはパスワードでロックを解除する技術が既に知られている。
【０００３】
図１（ａ）は、通常のプリンタ１の上面図であり、図１（ｂ）は、図１（ａ）に示したプリンタ１の正面図である。
プリンタ１の正面側には排紙トレイ部２が設けられ、印刷済みの用紙を堆積するようになっている。３はソレノイドであり、印刷中、排紙トレイ２をプリンタ１の本体にロックするように構成されている。
【０００４】
しかし、今までのロック機構では、外出先でなく、セキュリティが確保された建物内で使用する場合、例えばバッテリーではなくAC電源による給電を行う場合、においてもロック解除が必要であり、わずらわしいという問題があった。
【０００５】
このため、種々の提案がなされている（例えば、特許文献１参照。）。
特許文献１には、複数の排紙トレイと、そのトレイ毎にパスワードを有する装置において、複数パスワード管理の負担を減らす目的で、２番目トレイ以後のパスワードを、１番目トレイの印刷物に印刷する技術が開示されている。
【発明の概要】
【発明が解決しようとする課題】
【０００６】
しかしながら、特許文献１に記載の技術では、バッテリー駆動時のみロックしたいという問題は解消できていない。
【０００７】
そこで、本発明の目的は、バッテリープリンタの印刷物放置によるセキュリティ事故を防止する際のわずらわしさを低減することにある。
【課題を解決するための手段】
【０００８】
上記課題を解決するため、請求項１に記載の発明は、電源がACもしくはバッテリーで駆動可能なプリンタにおいて、前記電源がACもしくはバッテリーのいずれであるかを検知する検知回路と、前記電源が前記バッテリーであることを検知したときのみ排紙トレイを覆うカバーをロックするロック機構と、を備えたことを特徴とする。
【発明の効果】
【０００９】
本発明によれば、バッテリープリンタの印刷物放置によるセキュリティ事故を防止する際のわずらわしさを低減することができる。
【図面の簡単な説明】
【００１０】
【図１】（ａ）は、通常のプリンタ１の上面図であり、（ｂ）は、（ａ）に示したプリンタ１の正面図である。
【図２】一実施形態に係る主要部のブロック図である。
【図３】図２に示したソレノイド16を用いた排紙トレイ23の近傍を示す概念図である。
【図４】（ａ）は、他の実施形態に係る主要部の概念図であり、（ｂ）は、（ａ）のブロック図である。
【図５】他の実施形態に係る主要部の概念図である。
【図６】ロック機構と反転機構とを選択する選択手段をさらに備えた場合の処理を説明するためのフローチャートの一例である。
【発明を実施するための形態】
【００１１】
本発明の実施の形態を説明する。
［概  要］
本発明は、バッテリー駆動プリンタによる印刷完了後にユーザが印刷物を排紙トレイから取り出す際の処理に際して、以下の特徴を有する。
要するに、バッテリー駆動プリンタがバッテリーから給電する際は自動で排紙トレイを覆う排紙トレイカバーがロック機構によりロックし、AC電源から給電する際はロック機構が停止することを特徴とする。
【００１２】
［実施形態１］
＜構  成＞
本実施形態について、以下の図面を用いて詳細に解説する。
図２は、一実施形態に係る主要部のブロック図である。以下、図２に示した実施形態と同様の部材には共通の符号を用いて説明する。
バッテリー駆動プリンタは、いずれも図示しないヘッドと、ヘッドを駆動する駆動部と、ヘッドを副走査方向に移動させる移動部と、用紙を主走査方向に搬送する搬送部と、図２に示す電源部10-1と、を有する。
【００１３】
電源部10-1は、ASIC(Application Specific Integrated Circuit)15、ACアダプタ/バッテリー駆動源切替回路13、電圧変換回路14、ACアダプタ11、バッテリー12、ソレノイド16、リレー通電スイッチ18、及び保護ダイオード19を有する。
ASIC15は、例えば、図示しないCPU(Central Processing Unit：中央演算装置)、ROM(Read Only Memory)、RAM(Random Access Memory)、I/O(In put/Out put)等を有する。
【００１４】
リレー通電スイッチ18は、コイル18aと、メーク接点18bと、を有する。一端が接地され他端がASIC15の出力端に接続されたコイル18bによりメーク接点18aを作動させるようになっている。尚、リレー通電スイッチ18はリレーの代わりにトランジスタを用いた公知のスイッチング回路を用いてもよい。
【００１５】
一端が接地されたリレー通電スイッチ18のコイル18aの他端は、ソレノイド16の一端に接続されている。ソレノイド16は、一端がリレー通電スイッチ18のコイル18aの他端に接続されたコイル16aと、コイル16ａの磁力線によりコイル16ａから出入り自在なアクチュエータ16bと、を有する。ソレノイド16の他端には保護ダイオード17のカソードが接続され、保護ダイオード17のアノードには本体動作電圧が印加されている。保護ダイオード17としては、例えばシリコンダイオードが挙げられる。尚、ASIC15の電源及び本体動作電圧は、図示しない内蔵バッテリーが挙げられる。
【００１６】
ASIC15は、ACアダプタ/バッテリー駆動源切替回路13及びリレー通電スイッチ18に接続されている。
ACアダプタ/バッテリー駆動源切替回路13は、コイル13aと、コイル13aで作動するMBM接点13bと、を有する。MBM(ブレーク・ビフォア・メーク)接点とは、接点の動作順序を指定した接点組のうち、動作時に閉成すべき接点が閉成する前に開離すべき接点が開離される接点組である。MBM接点はC接点あるいはトランスファ接点ともいう。図では可動接点がACアダプタ11側に接続されているが、本発明はこれに限定されるものではなく、可動接点がバッテリー11側に接続されていてもよい。
【００１７】
ACアダプタ/バッテリー駆動源切替回路13の入力端には、ACアダプタ11、及びバッテリー12が接続されている。ACアダプタ11がACアダプタ/バッテリー駆動源切替回路13に接続されると、ACアダプタ挿入検知信号がASIC15に送られる。バッテリー12がACアダプタ/バッテリー駆動源切替回路13に接続されると、バッテリー挿入検知信号がACアダプタ/バッテリー駆動源切替回路13に送られる。
【００１８】
ACアダプタ/バッテリー駆動源切替回路13の制御信号入力端にはACアダプタ/バッテリー駆動源切替回路13から制御信号が送られる。ACアダプタ/バッテリー駆動源切替回路13の出力端は電圧変換回路14に接続されている。電圧変換回路14としては、例えばDC−DC(Direct Current-Direct Current)コンバータが挙げられる。電圧変換回路14の出力端には本体動作電圧が発生する。
【００１９】
図３は、図２に示したソレノイド16を用いた排紙トレイ23の近傍を示す概念図である。
バッテリー駆動プリンタには、筐体20に設けられた排紙トレイ23を覆うように排紙トレイカバー21が矢印P1方向に回動自在に設けられている。筐体20と排紙トレイ23との間に形成された隙間には、回動軸26ａが設けられており、回動軸26ａには爪が上側になるように第一の爪付き部材26が矢印P2方向に揺動自在に設けられている。排紙トレイカバー21の下端には爪が下側になるように第二の爪付き部材21ａが設けられている。第一の爪付き部材26と第二の爪付き部材21ａの両爪は、排紙トレイカバー21が閉じられると、互いに噛み合うように設定されている。これらの爪同士が噛み合った状態をロック状態といい、爪同士が離れた状態をロック解除状態という。
【００２０】
回動軸26ａには第一の爪付き部材26は中立状態を保持するため、破線で示す渦巻きバネ27が設けられているのが好ましい。第一の爪付き部材26の下端近傍にはソレノイド16が配置されている。ソレノイド16のアクチュエータ16bは矢印P3方向に移動自在であり、ONのときにはアクチュエータ16bは第一の爪付き部材26の下端を押して両爪付き部材12ａ、26の爪同士が離れてロック解除状態となる。ソレノイド16がOFFのときにはアクチュエータ16ｂは第一の爪付き部材26から離れて両爪付き部材12ａ、26の爪同士が噛み合いロック状態となる。
これら爪付き部材21ａ、26、ソレノイド16でロック機構41が構成されている。
【００２１】
［実施形態２］
図４（ａ）は、他の実施形態に係る主要部の概念図であり、図４（ｂ）は、図４（ａ）のブロック図である。
図４（ａ）、（ｂ）に示した実施形態の図２に示した実施形態及び従来技術との相違点は、物理鍵でロックが解除可能な点である。
【００２２】
バッテリー駆動プリンタは、いずれも図示しないヘッドと、ヘッドを駆動する駆動部と、ヘッドを副走査方向に移動させる移動部と、用紙を主走査方向に搬送する搬送部と、図４（ｂ）に示す電源部10-2と、を有する。
【００２３】
図４（ａ）に示すバッテリー駆動プリンタ200-1の鍵穴22に物理鍵としての鍵21を差し込んで回転させると、鍵21が図４（ｂ）に示すインタロックスイッチ23に接触する。
インタロックスイッチ23に接触すると、ソレノイド16への通電が遮断去れ、ロックが解除され、印刷済みの用紙を取り出すことができる。
本実施形態においても実施形態１と同様の効果が得られる。
【００２４】
［実施形態３］
図５は、他の実施形態に係る主要部の概念図である。
図５に示した実施の形態の図２に示した実施の形態との相違点は、印刷済みの用紙を反転した後排紙トレイに積層する点である。
【００２５】
図５に示すバッテリー駆動プリンタ200-2において、31は両面印刷用用紙反転ユニット、32は搬送ガイド、33は帯電ローラ、34は用紙分離パット、35は給紙コロ、36は用紙積載部もしくは用紙トレイ、37は搬送用紙、38は搬送ベルトを示す。39はテンションローラ、40は排紙トレイを示す。41はロック機構、42は先端コロ、43はヘッド、44はインク供給管、45は高電圧電源を示す。
【００２６】
用紙積載部36は搬送用紙37を積載する。給紙コロ35は搬送用紙37を搬送ベルト38に送る機能を有する。用紙分離パット34は給紙コロ35で送られた搬送用紙37が重なった場合、下側の搬送用紙37を引き留めて、上側の搬送用紙37を搬送ベルト38に送る機能を有する。搬送ガイド32は搬送用紙37を搬送ベルト38に送る機能を有する。両面印刷用用紙反転ユニット31は搬送用紙37の表裏を反転させる機能を有する。先端コロ42は搬送ベルト38上に押しつける機能を有する。ヘッド43は搬送用紙37上にインク粒子を照射して印刷する機能を有する。高電圧電源45は帯電ローラ33に高電圧を印加する機能を有する。テンションローラ39は搬送ベルト38に適切なテンションを与える機能を有する。帯電ローラ33は搬送ベルト38の表面に搬送用紙33を静電気力で吸着して搬送させる機能を有する。排紙トレイ40は印刷後裏返しにされた搬送用紙を積層する機能を有する。ロック機構41は排紙トレイ40に積層された搬送用紙を所定の条件を満たしたときにロックを解除する機能を有する。
【００２７】
排紙トレイカバー21を透明樹脂で形成した場合、ロック機構が作動していても印刷物の印刷内容が見えてしまう。しかし、単純に排紙トレイカバー21を不透明樹脂で形成した場合、印刷が実行されたか否かを確認することができず不便である。
そこで、印刷物を反転してから排紙する裏面排紙とすれば、排紙トレイ40に堆積した印刷物の内容が外部から見えず、セキュリティを向上させることができる。
【００２８】
本実施形態は、従来のGeljetプリンタの構成にて実現可能である。片面印刷完了後、両面印刷実行する際と同様に用紙をプリンタ本体内部に引き込み、両面印刷用用紙反転ユニット31にて用紙を反転させる。反転後、裏面に印刷を行わずにそのまま排紙トレイに排出すればよい。
【００２９】
図６は、ロック機構と反転機構とを選択する選択手段をさらに備えた場合の処理を説明するためのフローチャートの一例である。
選択手段としては、例えば、バッテリー駆動プリンタの操作部の操作ボタンであり、処理の主体は図示しないCPUが挙げられる。
まず、電源がオンされると(ステップS1)、ユーザからの入力待ち受けをする(ステップS2)。排紙トレイロック機能を使用するか否かを判断する(ステップS3)。排紙トレイロック機能を使用すると判断した場合(ステップS3/Y)、排紙トレイをロックし(ステップS4)、排紙トレイロック機能を使用しないと判断した場合(ステップS3/N)、終了する。
排紙トレイロック後、ユーザからの入力待ち受けを行い(ステップS5)、裏面排紙機能を使用するか否かを判断する(ステップS6)。裏面排紙機能を使用すると判断した場合(ステップS6/Y)、裏面排紙をして終了する(ステップS7)。裏面排紙機能を使用しないと判断した場合(ステップS6/N)、終了する。
【００３０】
［作用効果］
以上において、本実施形態によれば、バッテリープリンタがバッテリーから給電している際は自動でトレイロックが動作し、AC電源から給電する際はトレイロックが働かない構成となっている。その結果、バッテリープリンタの印刷物放置によるセキュリティ事故を防止する際のわずらわしさを低減することができる。
【００３１】
電源がAC電源、バッテリーの何れかを検知する検知回路と、バッテリーからの給電を検知すると排紙トレイをロックする機構と、を有することで、バッテリー駆動プリンタの印刷物放置事故を防止する際のわずらわしさを低減することができる。
【００３２】
上記構成において、給紙トレイロックを物理鍵を利用することにより、年配者等プリンタ操作に不慣れなユーザにおいて、電子によるロック解除よりロック解除が容易となる。また、ロック解除用のパスワード盗難にも対応可能となる。
【００３３】
上記構成において、バッテリー給電の際に片面印刷を行った際は、裏面排紙を行う制御を行う。排紙トレイを透明にした場合は、ロックされていても印刷物の印刷内容が見えてしまう。しかし不透明の排紙トレイとしては印刷が行われたか否かを確認することができず不便である。裏面排紙とすれば印刷内容が外部から見えず、セキュリティを向上することができる。
【００３４】
上記構成において、トレイロックと裏面排紙を実施するか否かをユーザが選択できる制御を行う。セキュリティ向上の要望がないユーザにとっては、ロック機構は利便性を損なう。ユーザが選択可能となれば利便性が向上する。
【００３５】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３６】
１０    電源部
１１    ＡＣアダプタ
１２    バッテリー
１３    ＡＣアダプタ/バッテリー駆動源切替回路
１４    電圧変換回路
１５    ＡＳＩＣ
１６    ソレノイド
１６ａ    コイル
１６ｂ    アクチュエータ
１７    保護ダイオード
１８    リレー通電スイッチ
２０    筐体
２１    排紙トレイカバー
２１ａ    第二の爪付き部材
２３    排紙トレイ
２６    第一の爪付き部材
２６ａ    回動軸
２７    渦巻きバネ
３１    両面印刷用用紙反転ユニット
３２    搬送ガイド
３３    帯電ローラ
３４    用紙分離パット
３５    給紙コロ
３６    用紙積載部もしくは用紙トレイ
４０    排紙トレイ
４１    ロック機構
４２    先端コロ
４３    ヘッド
４４    インク供給管
４５    高電圧電源
【先行技術文献】
【特許文献】
【００３７】
【特許文献１】特開２０１２−２２９１１０号公報
【図１】
2014201002.tif 000003
【図２】
2014201002.tif 000004
【図３】
2014201002.tif 000005
【図４】
2014201002.tif 000006
【図５】
2014201002.tif 000007
【図６】
2014201002.tif 000008